Podtech/llm-jp-corpus-v4-ja_patent huggingface dataset:
【手続補正書】
【提出日】平成17年4月27日(2005.4.27)
【手続補正１】
【補正対象書類名】明細書
【補正対象項目名】００２２
【補正方法】変更
【補正の内容】
【００２２】
（実施例７）
実施例１と同じ配合比の原料スラリーから高さ４３８ｍｍの半硬化体２を形成したのち、底面２ｂから３８５ｍｍの位置で半硬化体２の上部を切断・除去した。また、その半硬化体が埋設されたカゴ状の補強鉄筋に対応して３０枚に切断する。
そして、オートクレーブ養生後に、各小口面を切削加工して寸法精度の整った完成品の軽量気泡コンクリートパネル３（幅Ｗ３８０ｍｍ、厚み１００ｍｍ、長さ２，４８０ｍｍ）を３０枚製造した。
なお、実施例７における副筋１ｂの長さは２６０ｍｍとし、主筋１ａ長さは実施例１と同じとした。
また、実施例１と同様に、かぶりＴが７０ｍｍとなるように製造した。
実施例４において、半硬化体の高さＨ４３８ｍｍは完成品の軽量気泡コンクリートパネルの幅Ｗ３８０ｍｍの１１５％であった。
【手続補正書】
【提出日】平成17年3月11日(2005.3.11)
【手続補正１】
【補正対象書類名】明細書
【補正対象項目名】００１７
【補正方法】変更
【補正の内容】
【００１７】
１は、不図示の送出軸部、巻取軸部を備えた転写具の転写部である。なお、転写具は 、送出軸部から転写媒体を塗布した長尺帯状の基材をその回転により送り出し、巻取軸部は、被転写体に転写媒体を転写した後の基材をその回転により巻き取るものである。
【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
インクを噴出する印字ヘッドと、該印字ヘッドに供給されるインクを蓄えるインクタンクと、を備えたインク噴出式の画像形成装置において、前記印字ヘッドと前記インクタンクとを分離して配置する構成と、前記印字ヘッドとともに配置されるある一定量のインクを保持できるインク保持機構と、前記インクタンクから前記インク保持機構にインクを充填するインク充填機構と、前記インク保持機構から一定量以上のインクを前記インクタンクに回収するインク回収機構を持ち、インクを充填するときのみに前記インク保持機構と前記インクタンクとが前記インク充填機構および前記インク回収機構によって接続されることを特徴とする画像形成装置。
【請求項２】
前記インク充填手段と前記インク回収手段と、が、充填用と回収用の２本のパイプそれぞれを用いてインクの充填と回収とを同時に行うように構成されており、回収用の前記パイプの吸入口より上部のインクを回収することで充填量を一定に保つことを特徴とする請求項１に記載の画像形成装置。
【手続補正２】
【補正対象書類名】明細書
【補正対象項目名】００１３
【補正方法】変更
【補正の内容】
【００１３】
【課題を解決するための手段】
上記目的は、インクを噴出して画像を形成する印字ヘッドと、該印字ヘッドに供給されるインクを蓄えるインクタンクと、を備えたインク噴出式の画像形成装置において、前記印字ユニットと前記インクタンクとを分離して配置する構成と、前記印字ヘッドとともに配置されるある一定量のインクを保持できるインク保持機構と、前記インクタンクから前記インク保持機構にインクを充填するインク充填機構と、前記インク保持機構から一定量以上のインクを前記インクタンクに回収するインク回収機構と、を持ち、インクを充填するときのみに前記インク保持機構と前記インクタンクとが前記インク充填機構および前記インク回収機構によって接続されることによって達成される。
【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
複数のインクタンクが着脱自在に結合される記録ヘッドを有し、該記録ヘッドからインクを吐出して記録を行うインクジェット記録装置において、
前記インクタンクに収納されたインクの色を検知する色検知手段と該色検知手段による検知結果に応じて印字制御を行う制御手段とを具えるインクジェット記録装置。
【請求項２】
１色あたりに複数のインクタンクを記録ヘッドに装着可能としたことを特徴とする請求項１記載のインクジェット記録装置。
【請求項３】
複数のインクタンクから供給されるインクを記録ヘッドからインクを吐出して記録を行うインクジェット記録装置において、
複数色のインクを収納するインクタンクの替わりにブラックのインクを収納する複数のインクタンクを装着可能であることを特徴とするインクジェット記録装置。
【請求項４】
前記インクタンクに収納されたインク残量を検知する残量検知手段と、該残量検知手段により前記インクタンク内にインクがないことが検知された場合に、該インクタンクに対応した色のインクを該インクタンクに充填するためのインクを収納する別のインクタンクと、をさらに具えることを特徴とする請求項１〜３のいずれか１項に記載のインクジェット記録装置。
【請求項５】
１つの前記色検知手段が前記残量検知手段を兼ねていることを特徴とする請求項１〜４のいずれか１項に記載のインクジェット記録装置。
【請求項６】
前記色検知手段として、レッド、グリーン、ブルーのＬＥＤを使用することを特徴とする請求項１〜５のいずれか１項に記載のインクジェット記録装置。
【請求項７】
前記色検知手段として前記インクタンクと該インクタンクが搭載されるキャリッジとに対応する位置に凹凸を設け、前記残量検知手段としてＬＥＤを設けることを特徴とする請求項１〜４のいずれか１項に記載のインクジェット記録装置。
【手続補正２】
【補正対象書類名】明細書
【補正対象項目名】００１５
【補正方法】変更
【補正の内容】
【００１５】
【課題を解決するための手段】
上記問題点を解決するために、本発明のインクジェット記録装置は、複数のインクタンクが着脱自在に装着される記録ヘッドを有し、該記録ヘッドからインクを吐出して記録を行うインクジェット記録装置において、該記録ヘッドに装着されたインクタンクに収納されたインクの色を検知する色検知手段と、該色検知手段による検知結果に応じて印字制御を行う制御手段と、を具えることを特徴としている。
【手続補正３】
【補正対象書類名】明細書
【補正対象項目名】００１６
【補正方法】変更
【補正の内容】
【００１６】
また、本発明のインクジェット記録装置は、複数のインクタンクから供給されるインクを記録ヘッドからインクを吐出して記録を行うインクジェット記録装置において、複数色のインクタンクの替わりにブラックのインクを収納する複数のインクタンクを装着可能であることを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００８６
【補正方法】変更
【補正の内容】
【００８６】
【発明の効果】
以上説明したように本発明では、以下のような効果がある。
【手続補正７】
【補正対象書類名】明細書
【補正対象項目名】００８７
【補正方法】削除
【補正の内容】
【手続補正８】
【補正対象書類名】明細書
【補正対象項目名】００８８
【補正方法】削除
【補正の内容】
【手続補正９】
【補正対象書類名】明細書
【補正対象項目名】００８９
【補正方法】削除
【補正の内容】
【手続補正１０】
【補正対象書類名】明細書
【補正対象項目名】００９０
【補正方法】削除
【補正の内容】
【手続補正１１】
【補正対象書類名】明細書
【補正対象項目名】００９１
【補正方法】変更
【補正の内容】
【００９１】
（１）ユーザー印刷環境に合わせたインクの設定が可能になる。例えば、文章を主に印刷するユーザーはブラックを主に使用するため、ブラックインクをキャリッジ上に装着すればよい。
【手続補正１２】
【補正対象書類名】明細書
【補正対象項目名】００９２
【補正方法】変更
【補正の内容】
【００９２】
このようにすべてのインクタンクをブラックのインクタンクとした場合、記録ヘッドからはブラックのインクのみが吐出されるようになり、キャリッジの１回のスキャンで印字できるブラックの幅が大きくなる。これは、例えば文章の印刷を行う場合に、キャリッジの１回のスキャンで印字できる行数が多くなることを意味し、結果として、文章の高速化印刷が可能となる。
【手続補正書】
【提出日】平成17年3月25日(2005.3.25)
【手続補正１】
【補正対象書類名】明細書
【補正対象項目名】発明の名称
【補正方法】変更
【補正の内容】
【発明の名称】セーバソー
【手続補正２】
【補正対象書類名】明細書
【補正対象項目名】特許請求の範囲
【補正方法】変更
【補正の内容】
【特許請求の範囲】
【請求項１】
モータを内蔵するハウジングと、該ハウジングに回転可能に取付けられ、モータにより回転駆動されるセカンドシャフトと、ハウジングの一端に接続されたギヤケースと、該ギヤケースに往復動可能な如く取付けられ、先端にブレードが装着されるプランジャと、セカンドシャフトの回転運動をプランジャの往復運動に変換するためセカンドシャフトおよびプランジャとの間に設けられた運動変換手段とを有するセーバソーにおいて、
ギヤケースにプランジャの往復運動方向と概ね平行にプランジャの運動軌跡を制御するガイドをギヤケースと同一部材で一体に形成し、プランジャに取付けられたローラシャフトと、ローラシャフトの外周に回動可能、かつギヤケースのガイド上で転動可能な如く設けられたローラを備えたことを特徴とするセーバソー。
【請求項２】
前記ローラシャフトはプランジャを貫通し、プランジャに対して回動可能であることを特徴とする請求項１記載のセーバソー。
【手続補正３】
【補正対象書類名】明細書
【補正対象項目名】０００１
【補正方法】変更
【補正の内容】
【０００１】
【発明の属する技術分野】本発明は住宅やビルの建築、設備、改装、解体工事等において木材、鋼材、パイプ等を切断するセーバソーに関するものである。
【手続補正書】
【提出日】平成17年6月6日(2005.6.6)
【手続補正１】
【補正対象書類名】明細書
【補正対象項目名】発明の名称
【補正方法】変更
【補正の内容】
【発明の名称】車載用スピーカおよびその取付構造
【手続補正２】
【補正対象書類名】明細書
【補正対象項目名】特許請求の範囲
【補正方法】変更
【補正の内容】
【特許請求の範囲】
【請求項１】
スピーカボックスをその音響再生部分を除いて全体を覆う緩衝材と、
該緩衝材を押圧して保持する保持部材とを含むことを特徴とする車載用スピーカの取付構造。
【請求項２】
前記車載用スピーカは、少なくとも一部が車体に設けられる凹所に収納され、
前記緩衝材は、該凹所内で該車載用スピーカの周囲に充填され、
前記保持部材は、該凹所が車室側に臨む開口部分側から該緩衝材を押圧することを特徴とする請求項１記載の車載用スピーカの取付構造。
【請求項３】
前記車載用スピーカは、車体の壁面に設けられる開口部に、前記音響再生部分が臨むように、該壁面の外部に装着され、
前記保持部材は、該壁面の外部で前記緩衝材を介して該車載用スピーカを保持することを特徴とする請求項１記載の車載用スピーカの取付構造。
【請求項４】
前記音響再生は、音声の主要成分が含まれる中音域の周波数帯、または該中音域の周波数帯よりも高い高音域の周波数帯で行うことを特徴とする請求項１〜３のいずれかに記載の車載用スピーカの取付構造。
【請求項５】
スピーカユニットと、前記スピーカユニットが装着されたスピーカボックスと、
少なくとも前記スピーカユニットの音響放射部分を除いて前記スピーカボックスの周囲を覆う緩衝材と、
該緩衝材を押圧して前記スピーカボックスを車両に保持する保持部材とを含むことを特徴とする車載用スピーカ。
【請求項６】
前記音響再生は、音声の主要部分が含まれる中音域の周波数帯、または該中音域の周波数帯よりも高い高音域の周波数帯で行うことを特徴とする請求項５記載の車載用スピーカ。
【手続補正３】
【補正対象書類名】明細書
【補正対象項目名】０００１
【補正方法】変更
【補正の内容】
【０００１】
【発明の属する技術分野】
本発明は、車両に取付けて車室内に音響再生を行う車載用スピーカおよびその取付構造に関する。
【手続補正４】
【補正対象書類名】明細書
【補正対象項目名】０００７
【補正方法】変更
【補正の内容】
【０００７】
本発明の目的は、不要な音響信号を発生しない車載用スピーカおよびその取付構造を提供することである。
【手続補正５】
【補正対象書類名】明細書
【補正対象項目名】０００８
【補正方法】変更
【補正の内容】
【０００８】
【課題を解決するための手段】
本発明は、スピーカボックスをその音響再生部分を除いて全体を覆う緩衝材と、
該緩衝材を押圧して保持する保持部材とを含むことを特徴とする車載用スピーカの取付構造である。
【手続補正６】
【補正対象書類名】明細書
【補正対象項目名】０００９
【補正方法】変更
【補正の内容】
【０００９】
本発明に従えば、車載用スピーカのスピーカボックスは、緩衝材で覆われ、保持部材で緩衝材が押圧されて車体に取付けられる。スピーカボックスで車室内に音響再生を行う部分を除く部分は、緩衝材で覆われるので、スピーカが空気に対して音響再生する際の反力が与えられて振動等が生じても、振動等による音響出力は緩衝材で減衰され、スピーカから再生される音響出力には含まれなくなって、再生音の音質を向上させることができる。
【手続補正７】
【補正対象書類名】明細書
【補正対象項目名】００１５
【補正方法】変更
【補正の内容】
【００１５】
本発明に従えば、音響再生を、音声の主要成分が含まれる中音域の周波数帯域や、さらに高い周波数帯域である高音域で行うので、中音や高音の再生を高音質で行うことができる。中音や高音の周波数帯域を再生する車載用スピーカは、スピーカボックスとして必要な内容積が小さくなるので、緩衝材の使用量を少なくし、保持部材を小型にして、コスト低減を図ることができる。
さらに本発明は、スピーカユニットと、前記スピーカユニットが装着されたスピーカボックスと、
少なくとも前記スピーカユニットの音響放射部分を除いて前記スピーカボックスの周囲を覆う緩衝材と、
該緩衝材を押圧して前記スピーカボックスを車両に保持する保持部材とを含むことを特徴とする車載用スピーカである。
本発明に従えば、スピーカユニットが装着されたスピーカボックスは、スピーカユニットの音響放射を除く部分は、緩衝材で覆われるので、スピーカが空気に対して音響再生する際の反力が与えられて振動等が生じても、振動等による音響出力は緩衝材で減衰され、スピーカから再生される音響出力には含まれなくなって、再生音の音質を向上させることができる。
また本発明で、前記音響再生は、音声の主要部分が含まれる中音域の周波数帯、または該中音域の周波数帯よりも高い高音域の周波数帯で行うことを特徴とする。
本発明に従えば、音響再生は、音声の主要成分が含まれる中音域の周波数帯域や、さらに高い周波数帯域である高音域で行うので、中音や高音の再生を高音質で行うことができる。中音や高音の周波数帯域を再生する車載用スピーカは、スピーカボックスとして必要な内容積が小さくなるので、緩衝材の使用量を少なくし、保持部材を小型にして、コスト低減を図ることができる。
【手続補正８】
【補正対象書類名】明細書
【補正対象項目名】００２４
【補正方法】変更
【補正の内容】
【００２４】
【発明の効果】
以上のように本発明によれば、車載用スピーカのスピーカボックスは、車室内に音響再生を行う部分を除く部分は、緩衝材で覆われるので、スピーカボックスが空気に対して音響再生する際の反力が与えられて振動等が生じても、振動等による音響出力を緩衝材で減衰させ、車載用スピーカから再生される音響出力には含まれなくして、再生音の音質を向上させることができる。
【手続補正９】
【補正対象書類名】明細書
【補正対象項目名】００２７
【補正方法】変更
【補正の内容】
【００２７】
また本発明によれば、中音や高音の再生を高音質で行うことができ、緩衝材の使用量を少なくし、保持部材を小型にして、コスト低減を図ることができる。
さらに本発明によれば、スピーカボックスがスピーカユニットの音響放射部分を除いて緩衝材で覆われるので、スピーカボックスが空気に対して音響再生する際の反力が与えられて振動等が生じても、振動等による音響出力を緩衝材で減衰させ、車載用スピーカから再生される音響出力には含まれなくして、再生音の音質を向上させることができる。
また本発明によれば、音声の主要部分が含まれる中音や高音の再生を高音質で行うことができ、緩衝材の使用量を少なくし、保持部材を小型にして、コスト低減を図ることができる。
【手続補正書】
【提出日】平成17年3月24日(2005.3.24)
【手続補正１】
【補正対象書類名】明細書
【補正対象項目名】００１６
【補正方法】変更
【補正の内容】
【００１６】
典型的には、プログラムメモリ４２、視点変換マップデータ格納部４５及び軌跡マップデータ格納部４７は、読み出し専用メモリ（ＲＯＭ）で構成され、画像記憶部４４、運転支援データ生成部４６及び画像合成部４８は、読み出し／書き替え可能なメモリ（ＲＡＭ）で構成される。
【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
内周面に雌ねじ溝が形成されたボールナットと、このボールナットの軸心に配置されると共に外周面に前記雌ねじ溝に対峙する雄ねじ溝が形成されたラックシャフトと、前記雌ねじ溝と前記雄ねじ溝との間に介装された複数個の循環ボールとからなるボールねじ機構と、
このボールねじ機構を収納するステアリングギヤケースと、
前記ラックシャフトと別軸に配置され、前記ボールナット機構の駆動に供される電動モータと、
当該電動モータの回転駆動力を前記ボールナットに伝達する動力伝達手段と
を有するラックアシスト型の電動パワーステアリング装置において、
前記動力伝達手段が、前記ボールナットに対して同軸かつ直列に配置されると共に当該ボールナットに係合する動力伝達要素を備えたことを特徴とする電動パワーステアリング装置。
【請求項２】
前記ボールナットが第１の軸受を介して前記ステアリングギヤケースに支持され、前記動力伝達要素が第２の軸受を介して前記ステアリングギヤケースに支持されたことを特徴とする、請求項１記載の電動パワーステアリング装置。
【請求項３】
前記ボールナットと前記動力伝達要素とがミスアライメント吸収手段を介して連結されたことを特徴とする、請求項１または２記載の電動パワーステアリング装置。
【請求項４】
前記ミスアライメント吸収手段が弾性継手であることを特徴とする、請求項３記載の電動パワーステアリング装置。
【請求項５】
前記ミスアライメント吸収手段がオルダム継手であることを特徴とする、請求項３記載の電動パワーステアリング装置。
【請求項６】
前記ボールナットと前記動力伝達要素とがトルクリミッタを介して連結されたことを特徴とする、請求項１〜５のいずれか一項に記載の電動パワーステアリング装置。
【請求項７】
前記トルクリミッタが、複数本の突条を周面に有したばね環であり、前記ボールナットと前記動力伝達要素との間に圧入されることを特徴とする、請求項６記載の電動パワーステアリング装置。
【請求項８】
前記ボールナットと前記動力伝達要素とが軸方向摺動自在な連結手段を介して連結されたことを特徴とする、請求項１または２記載の電動パワーステアリング装置。
【請求項９】
前記連結手段がスプラインまたはセレーションまたはキーであることを特徴とする、請求項８記載の電動パワーステアリング装置。
【請求項１０】
前記ボールナットと前記ステアリングギヤケースとの間に弾性体が介装されたことを特徴とする、請求項１〜９のいずれか一項に記載の電動パワーステアリング装置。
【請求項１１】
内周面に雌ねじ溝が形成されたボールナットと、このボールナットの軸心に配置されると共に外周面に前記雌ねじ溝に対峙する雄ねじ溝が形成されたラックシャフトと、前記雌ねじ溝と前記雄ねじ溝との間に介装された複数個の循環ボールとからなるボールねじ機構と、
このボールねじ機構を収納するステアリングギヤケースと、
前記ラックシャフトと別軸に配置され、前記ボールナット機構の駆動に供される電動モータと、
当該電動モータの回転駆動力を前記ボールナットに伝達する動力伝達手段と
を有するラックアシスト型の電動パワーステアリング装置において、
前記動力伝達手段は、電動モータに連結される駆動要素と、該駆動要素からの動力を前記ボールナットに伝達する被駆動要素で構成され、
前記ボールナットと前記被駆動要素とはそれぞれ別部品で構成されていることを特徴とする電動パワーステアリング装置。
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
パルプ繊維及び填量を原紙の主体とし、該原紙の少なくとも片面に多価金属塩が０．１〜３ｇ／ｍ2の範囲の塗布量で塗布され、坪量が６３〜１００ｇ／ｍ2の範囲であり、かつ、内部結合強さが０．０５〜０．２Ｎ・ｍの範囲である記録用紙の表面に、少なくとも顔料、水溶性有機溶媒、水、及び界面活性剤からなる、表面張力が２５〜３７ｍＮ／ｍの範囲である１色以上のインクを用いて印字することを特徴とするインクジェット記録方法。
【請求項２】
記録用紙の両面に印字することを特徴とする請求項１に記載のインクジェット記録方法。
【請求項３】
パルプ繊維及び填量を原紙の主体とする記録用紙の表面に、記録ヘッドからインクを吐出して印字するインクジェット記録装置であって、前記記録用紙が、原紙の少なくとも片面に多価金属塩が０．１〜３ｇ／ｍ2の範囲の塗布量で塗布されてなり、坪量が６３〜１００ｇ／ｍ2の範囲であり、かつ、内部結合強さが０．０５〜０．２Ｎ・ｍの範囲である記録用紙であり、前記インクが、少なくとも顔料、水溶性有機溶媒、水、及び界面活性剤からなる、表面張力が２５〜３７ｍＮ／ｍの範囲である１色以上のインクであることを特徴とするインクジェット記録装置。
【請求項４】
記録用紙の両面に印字することを特徴とする請求項３に記載のインクジェット記録装置。
【手続補正２】
【補正対象書類名】明細書
【補正対象項目名】０００１
【補正方法】変更
【補正の内容】
【０００１】
【発明の属する技術分野】
本発明は、記録用紙とインクとを用いたインクジェット記録方法及びインクジェット記録装置に関する。
【手続補正３】
【補正対象書類名】明細書
【補正対象項目名】００１０
【補正方法】変更
【補正の内容】
【００１０】
【発明が解決しようとする課題】
本発明は、上記従来技術の問題点を解決することを目的とする。
すなわち、本発明は、インクジェット記録方式によって印刷したドキュメントにおいて、発色性を高くし、色間にじみや文字にじみを少なくし、かつ、印字直後に発生するカール、波打ちを改善することにより両面印字適性を持たせ、さらに放置乾燥後に発生するカール、波打ちをも改善することができるインクジェット記録方法及びインクジェット記録装置の提供を目的とする。
【手続補正４】
【補正対象書類名】明細書
【補正対象項目名】００１６
【補正方法】変更
【補正の内容】
【００１６】
前記インクの粘度は、１．５〜５．０ｍＰａ・ｓの範囲であることが好ましい。
また、以下のインクジェット記録装置を用いることによっても、前記課題は同様に達成される。
すなわち、パルプ繊維及び填量を原紙の主体とする記録用紙の表面に、記録ヘッドからインクを吐出して印字するインクジェット記録装置であって、前記記録用紙が、原紙の少なくとも片面に多価金属塩が０．１〜３ｇ／ｍ2の範囲の塗布量で塗布されてなり、坪量が６３〜１００ｇ／ｍ2の範囲であり、かつ、内部結合強さが０．０５〜０．２Ｎ・ｍの範囲である記録用紙であり、前記インクが、少なくとも顔料、水溶性有機溶媒、水、及び界面活性剤からなる、表面張力が２５〜３７ｍＮ／ｍの範囲である１色以上のインクであることを特徴とするインクジェット記録装置である。
また、上記インクジェット記録装置においては、記録用紙の両面に印字することが好ましい。
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
像担持体と、
前記像担持体を走査するためのビーム光を発するビーム光発生器と、
前記ビーム光発生器から発せられるビーム光を前記走査用として反射するとともに、入力される駆動電圧のレベルに応じた量だけ回動して反射角が変化することにより前記ビーム光の走査位置を調節するガルバノミラーと、
前記ガルバノミラーの反射角を連続的に微調整するためのデジタルデータが入力され、そのデジタルデータに対応するレベルの電圧信号を出力する第１デジタル／アナログ変換器と、
前記ガルバノミラーの反射角を段階的に粗調整するためのデジタルデータが入力され、そのデジタルデータに対応するレベルの電圧信号を出力する第２デジタル／アナログ変換器と、
前記第１デジタル／アナログ変換器の出力電圧および前記第２デジタル／アナログ変換器の出力電圧に応じたレベルの電圧を前記ガルバノミラーに対する駆動電圧として出力する増幅回路と、
前記像担持体における前記ビーム光の走査位置を検知する検知手段と、
前記検知手段で検知される走査位置が所定位置に収まる方向に前記ガルバノミラーが回動するよう、前記第２デジタル／アナログ変換器に対するデジタルデータの入力値を所定値に設定した状態で前記第１デジタル／アナログ変換器に対するデジタルデータの入力値を増減制御する第１制御手段と、
前記第１制御手段により前記第１デジタル／アナログ変換器に対するデジタルデータの入力値が変化して同第１デジタル／アナログ変換器の一方の限度値に達したとき、その第１デジタル／アナログ変換器に対するデジタルデータの入力値を同第１デジタル／アナログ変換器の他方の限度値にシフトし、かつ前記第２デジタル／アナログ変換器に対するデジタルデータの入力値を１ステップ分シフトする第２制御手段と、
を備えたことを特徴とする画像形成装置。
【請求項２】
請求項１に記載の画像形成装置において、
前記第２デジタル／アナログ変換器は、デジタルデータの入力値を１ステップ分シフトした際の出力電圧が、前記第１デジタル／アナログ変換器の出力電圧の最大変化幅よりも小さいことを特徴とする画像形成装置。
【請求項３】
請求項１に記載の画像形成装置において、
前記検知手段は、ビーム光の受光時に電気信号を発する光検知器、およびこの光検知器の出力信号を処理してビーム光の走査位置を表わす信号を出力する信号処理回路、を備えている。
【請求項４】
請求項３に記載の画像形成装置において、
前記光検知器は、受光領域の大きさがビーム光の走査方向と直行する方向に連続的かつ互いに逆向き状態で変化する複数の光電変換素子を有し、これら光電変換素子をビーム光の走査方向に沿って配列している、
前記信号処理回路は、前記各光電変換素子の出力信号の差に対応するレベルの電圧を出力する差動増幅器、この差動増幅器の出力電圧を積分する積分器、この積分器の出力電圧をデジタルデータに変換するアナログ／デジタル変換器を有し、アナログ／デジタル変換器のデジタルデータをビーム光の走査位置を表わす信号として出力する、
ことを特徴とする画像形成装置。
【請求項５】
請求項３に記載の画像形成装置において、
前記光検知器は、当該光検知器へのビーム光の進入を検知するための第１光電変換素子、受光領域の大きさがビーム光の走査方向と直行する方向に連続的かつ互いに逆向き状態で変化する複数の第２光電変換素子、当該光検知器からのビーム光の退出を検知するための第４光電変換素子を有し、この第１、第２、第３光電変換素子をビーム光の走査方向に沿って配列している、
前記信号処理回路は、前記各第２光電変換素子の出力信号の差に対応するレベルの電圧を出力する差動増幅器、この差動増幅器の出力電圧を積分する積分器、この積分器の出力電圧をデジタルデータに変換するアナログ／デジタル変換器、前記第１光電変換素子の出力信号に応じて前記積分器に対するリセット信号を生成するリセット信号生成回路、前記第３光電変換素子の出力信号に応じて前記アナログ／デジタル変換器に対する変換開始信号を生成する変換開始信号生成回路を有し、アナログ／デジタル変換器のデジタルデータをビーム光の走査位置を表わす信号として出力する、
ことを特徴とする画像形成装置。
【請求項６】
請求項３に記載の画像形成装置において、
前記光検知器は、ビーム光の走査方向と直行する方向に互いに一定間隔で設けられた第１、第２、第３光電変換素子、および受光領域の大きさがビーム光の走査方向と直行する方向に連続的に変化する第４光電変換素子を有する、
前記信号処理回路は、前記第１、第２、第３光電変換素子の出力信号の相互関係をビーム光の走査位置として捕らえるとともに、前記第４光電変換素子の出力信号の時間的変化をビーム光の走査位置として捕らえる、
ことを特徴とする画像形成装置。
【手続補正２】
【補正対象書類名】明細書
【補正対象項目名】００１０
【補正方法】変更
【補正の内容】
【００１０】
【課題を解決するための手段】
請求項１に係る発明の画像形成装置は、ビーム光の走査位置が所定位置に収まる方向にガルバノミラーが回動するよう、第２デジタル／アナログ変換器に対するデジタルデータの入力値を所定値に設定した状態で第１デジタル／アナログ変換器に対するデジタルデータの入力値を増減制御する。さらに、この増減制御により第１デジタル／アナログ変換器に対するデジタルデータの入力値が変化して同第１デジタル／アナログ変換器の一方の限度値に達したとき、その第１デジタル／アナログ変換器に対するデジタルデータの入力値を同第１デジタル／アナログ変換器の他方の限度値にシフトし、かつ第２デジタル／アナログ変換器に対するデジタルデータの入力値を１ステップ分シフトする。
【手続補正３】
【補正対象書類名】明細書
【補正対象項目名】００１１
【補正方法】削除
【補正の内容】
【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
自動車の車体に設ける植毛部品の製造方法において、オレフィン系材料からなる基材並びにオレフィン系材料からなる短繊維又は粒状物質を準備する工程と、前記基材の表面に前記短繊維又は粒状物質を振りかける若しくは吹付けることで植毛層を形成する工程と、からなる植毛部品の製造方法。
【請求項２】
自動車の車体に設ける植毛部品の製造方法において、オレフィン系材料からなる短繊維又は粒状物質を準備する工程と、オレフィン系材料からなる基材を押出し成形法により製造する工程と、成形直後の基材の表面に前記短繊維又は粒状物質を振りかける若しくは吹付けることで植毛層を形成する工程と、からなる植毛部品の製造方法。
【請求項３】
前記基材はドアスキンに嵌合するとともにウインドガラスに向かって張出す張出し部を備え、この張出し部に、ウインドガラスに接触させる前記植毛層を形成することを特徴とする請求項１又は請求項２記載の植毛部品の製造方法。
【請求項４】
自動車の車体に設ける植毛部品において、オレフィン系材料からなる基材と、この基材に融接法により付着させた植毛層とからなる植毛部品であって、前記植毛層は、基材と同じオレフィン系材料で構成したことを特徴とする植毛部品。
【請求項５】
前記植毛部品はドアモールであって、前記基材はドアスキンに嵌合するとともにウインドガラスに向かって張出す張出し部を備え、この張出し部に前記植毛層を備え、この植毛層をウインドガラスに接触させることを特徴とする請求項４記載の植毛部品。
【手続補正２】
【補正対象書類名】明細書
【補正対象項目名】０００７
【補正方法】変更
【補正の内容】
【０００７】
【課題を解決するための手段】
上記目的を達成するために請求項１は、自動車の車体に設ける植毛部品の製造方法において、オレフィン系材料からなる基材並びにオレフィン系材料からなる短繊維又は粒状物質を準備する工程と、基材の表面に短繊維又は粒状物質を振りかける若しくは吹付けることで植毛層を形成する工程と、からなることを特徴とする。
【手続補正３】
【補正対象書類名】明細書
【補正対象項目名】０００９
【補正方法】変更
【補正の内容】
【０００９】
請求項２は、自動車の車体に設ける植毛部品の製造方法において、オレフィン系材料からなる短繊維又は粒状物質を準備する工程と、オレフィン系材料からなる基材を押出し成形法により製造する工程と、成形直後の基材の表面に短繊維又は粒状物質を振りかける若しくは吹付けることで植毛層を形成する工程と、からなることを特徴とする。
【手続補正４】
【補正対象書類名】明細書
【補正対象項目名】００１０
【補正方法】変更
【補正の内容】
【００１０】
上述の請求項１の作用に次の作用が加わる。
押出し品は残熱を有するため、表面を溶融温度までに加熱するための熱エネルギーを丸々節約することができる。従って、製造コストを低減することができる。
請求項３では、基材はドアスキンに嵌合するとともにウインドガラスに向かって張出す張出し部を備え、この張出し部に、ウインドガラスに接触させる前記植毛層を形成することを特徴とする。
【手続補正５】
【補正対象書類名】明細書
【補正対象項目名】００１１
【補正方法】変更
【補正の内容】
【００１１】
請求項４は、自動車の車体に設ける植毛部品において、オレフィン系材料からなる基材と、この基材に融接法により付着させた植毛層とからなる植毛部品であって、植毛層は、基材と同じオレフィン系材料で構成したことを特徴とする。
なお、融接法は母材の一部を溶解して接合する手法の総称である。
請求項５では、植毛部品はドアモールであって、基材はドアスキンに嵌合するとともにウインドガラスに向かって張出す張出し部を備え、この張出し部に植毛層を備え、この植毛層をウインドガラスに接触させることを特徴とする。
【手続補正６】
【補正対象書類名】明細書
【補正対象項目名】００３４
【補正方法】変更
【補正の内容】
【００３４】
請求項２の製造方法は、上述の請求項１の作用に次の効果が加わる。
押出し品は残熱を有するため、表面を溶融温度までに加熱するための熱エネルギーを節約することができる。従って、製造コストを低減することができる。
請求項３の製造方法で、基材をより具体的に述べると、基材はドアスキンに嵌合するとともにウインドガラスに向かって張出す張出し部を備え、この張出し部に、ウインドガラスに接触させる植毛層を形成することを特徴とする。
【手続補正７】
【補正対象書類名】明細書
【補正対象項目名】００３５
【補正方法】変更
【補正の内容】
【００３５】
請求項４の植毛部品は、オレフィン系材料からなる基材と、この基材に融接法により付着させた植毛層とからなる植毛部品であって、植毛層は、基材と同じオレフィン系材料で構成したことを特徴とし、植毛部品を構成する基材及び植毛層を、同じオレフィン系材料で構成したので、リサイクル時に分解の必要が無く、分別が容易となる。さらには、接着剤を使用しないので、異物の除去を行う必要がない。
従って、分別工数を低減することができるとともに、良質なリサイクル品を得ることができる。この結果、リサイクルを促すことができ、リサイクル率を容易に高めることができる。
請求項５の植毛部品は、具体的には、ドアモールであって、基材はドアスキンに嵌合するとともにウインドガラスに向かって張出す張出し部を備え、この張出し部に植毛層を備え、この植毛層をウインドガラスに接触させることを特徴とする。
【手続補正８】
【補正対象書類名】明細書
【補正対象項目名】符号の説明
【補正方法】変更
【補正の内容】
【符号の説明】
１０…植毛部品（ドアモール）、１１…基材、１２…植毛層、１４…ドアスキン、１５…リップ、１６…ウインドガラス、１７…張出し部、１８…短繊維又は粒状物質、２１…ヒータ、２２…溶融部、２６…押出機。
【手続補正書】
【提出日】平成16年9月6日(2004.9.6)
【手続補正１】
【補正対象書類名】明細書
【補正対象項目名】請求項１
【補正方法】変更
【補正の内容】
【請求項１】
移動可能なキャリッジに搭載された記録ヘッドにより記録媒体に記録する記録装置において、
周囲温度が所定温度範囲外のときに前記キャリッジの移動速度を変化させることを特徴とする記録装置。
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
内周穴を有する情報記録ディスク用基板を成形するための金型であって、
溶融樹脂が射出されるキャビティを画成する一対の金型と、
上記金型の鏡面との間にスタンパを取り付けるために上記金型の一方に固定して設けられた凸部と、
上記金型の他方に設けられ、上記凸部と嵌合することによって上記内周穴を画成する凹部とを備え、
上記凸部と上記凹部を嵌合させることによって上記キャビティのゲートシールを行うことを特徴とする成形用金型。
【請求項２】
上記凹部が上記金型の他方に固定されて設けられている請求項１に記載の成形用金型。
【請求項３】
上記凹部が上記金型の他方に対して移動可能に設けられている請求項１に記載の成形用金型。
【請求項４】
請求項１〜３のいずれか一項に記載の成形用金型を用いて成形された基板。
【請求項５】
射出成形法による情報記録ディスク用基板の成形方法であって、
第一金型の鏡面との間にスタンパを取り付けるために第一金型の中央部に固定して設けられた凸部及び該凸部と嵌合する第二金型の中央部に設けられた凹部をそれぞれ有する第一金型及び第二金型により画成されたキャビティに溶融樹脂を射出する工程と、
上記溶融樹脂を上記第一金型及び第二金型で圧縮する工程と、
上記溶融樹脂を冷却して固化させる工程とを備え、
上記圧縮工程において上記凸部と上記凹部が嵌合することによって、上記基板の内周穴が画成される成形方法。
【請求項６】
請求項５に記載の成形方法を用いて作製した基板。
【請求項７】
内周穴を有し、スタンパに形成されたパターンを転写することにより成形された情報記録ディスク用基板において、
基板の内周部から外周部の間に情報記録領域を有し、内周部から情報記録領域の間の領域が凹凸のない平坦面であり、上記内周部から外周部に渡る全ての領域が上記スタンパのパターンが転写されることによって形成されていることを特徴とする基板。
【手続補正書】
【提出日】平成17年5月9日(2005.5.9)
【手続補正１】
【補正対象書類名】明細書
【補正対象項目名】０００６
【補正方法】変更
【補正の内容】
【０００６】
臀部を押上げる押上手段としては、膨張可能なバッグと、このバッグを膨張させるガス発生器とを有するものが好適である（請求項２）。側突等が検知又は予知されたときに該ガス発生器を作動させ、バッグを膨張させる。このガス発生器から瞬時に大量のガスを発生させることにより、側突時等に乗員のドア側の臀部を十分に押上げ、乗員上半身とサイドバッグとの間に大きなスペースを生じさせることができる。
【手続補正２】
【補正対象書類名】明細書
【補正対象項目名】００１３
【補正方法】変更
【補正の内容】
【００１３】
自動車が右方から側突を受けたり右方に横転した場合、前記サイドバッグ２１及びカーテンバッグ２３がドア２４に沿って膨張すると共に、第２図（ｂ）の通り、インフレータ３１によってボトムバッグ３０が膨張する。このボトムバッグ３０が膨張すると、座席１０に座っていた乗員の右側の臀部が押上げられ、乗員の上半身が矢印Ａの如くドア２４から離れる方向に傾き、乗員上半身とドア２４との間のスペースが拡大する。この拡大したスペースに入り込むようにしてサイドバッグ２１及びカーテンバッグ２３が膨張する。サイドバッグ２１は乗員の肩や腰などを右方から受け止め、カーテンバッグ２３は乗員の頭部や首などを右方から受け止めて保護する。
【手続補正３】
【補正対象書類名】明細書
【補正対象項目名】００１７
【補正方法】変更
【補正の内容】
【００１７】
上記実施の形態では、ボトムバッグ３０が膨張する場合、カバー１１ｂが押上げられるよう構成しているが、ボトムバッグ３０がカバー１１ｂを破って膨張し、直接的に乗員の臀部を押上げるよう構成してもよい。
【手続補正４】
【補正対象書類名】明細書
【補正対象項目名】符号の説明
【補正方法】変更
【補正の内容】
【符号の説明】
１０  座席
１１  シートクッション
１１ａ  クッション本体
１１ｂ  カバー
１２  シートバック
１４  Ｂピラー
２１  サイドバッグ
２３  カーテンバッグ
２４  ドア
３０  ボトムバッグ
３１  インフレータ
【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
車体に取付けた車体側ブラケットに、ステアリングコラムに取付けたコラム側ブラケットを揺動自在又は摺動自在に設け、
車体側ブラケットに形成したチルト調整用長孔又は丸孔と、コラム側ブラケットに形成したテレスコピック調整用長孔又は丸孔とに、締付ボルトを通挿し、
締付ボルトを締付け、両ブラケットを圧接してチルト又はテレスコピック締付する一方、締付ボルトの締付を解除し、両ブラケットの圧接を解除してチルト又はテレスコピック調整可能にし、
チルト調整用長孔又は丸孔と、テレスコピック調整用長孔又は丸孔とは、夫々、締付ボルトに対して、若干の隙間を有しているチルト式又はテレスコピック式の車両用ステアリングコラム装置において、
前記締付ボルトの外周面に、チルト又はテレスコピック調整時、前記締付ボルトが前記隙間分だけガタ付くことを防止する環状又は筒状の弾性部材が外嵌してあることを特徴とする車両用ステアリングコラム装置。
【請求項２】
前記環状又は筒状の弾性部材は、合成樹脂から形成してあることを特徴とする請求項１に記載の車両用ステアリングコラム装置。
【請求項３】
前記コラム側ブラケットは、ステアリングコラムに対向する位置に、底板部を有し、
前記環状又は筒状の弾性部材は、前記底板部に当接しながら、前記締付ボルトを前記底板部から前記ステアリングコラムに向けて弾性的に付勢して、前記締付ボルトを少なくとも前記隙間分だけ持ち上げるように作用する環状又は筒状の弾性支持部を有していることを特徴とする請求項２に記載の車両用ステアリングコラム装置。
【請求項４】
車体に取付けた車体側ブラケットに、ステアリングコラムに取付けたコラム側ブラケットを揺動自在又は摺動自在に設け、
車体側ブラケットに形成した長孔又は丸孔と、コラム側ブラケットに形成した長孔又は丸孔とに、締付ボルトを通挿し、
締付ボルトを締付けることにより両ブラケットを圧接してチルト又はテレスコピック締付する一方、締付ボルトの締付を解除することにより両ブラケットの圧接を解除してチルト又はテレスコピック調整可能にしているチルト式又はテレスコピック式の車両ステアリングコラム装置において、
前記締付ボルトの外周面に、締付ボルトをコラム側ブラケットに形成した長孔または丸孔に押付ける弾性部材が外嵌してあることを特徴とする車両ステアリングコラム装置。
【手続補正２】
【補正対象書類名】明細書
【補正対象項目名】００１２
【補正方法】変更
【補正の内容】
【００１２】
さらに、請求項３に係る車両用ステアリングコラム装置は、前記コラム側ブラケットは、ステアリングコラムに対向する位置に、底板部を有し、
前記環状又は筒状の弾性部材は、前記底板部に当接しながら、前記締付ボルトを前記底板部から前記ステアリングコラムに向けて弾性的に付勢して、前記締付ボルトを少なくとも前記隙間分だけ持ち上げるように作用する環状又は筒状の弾性支持部を有していることを特徴とする。
【手続補正３】
【補正対象書類名】明細書
【補正対象項目名】００２４
【補正方法】変更
【補正の内容】
【００２４】
また、車体側アッパーブラケット４のフランジ部４ｂ，４ｂには、略Ｕ字状のコーティングプレート１０と、二次衝突時の衝撃エネルギーを吸収するための衝撃吸収プレート１１とがボルト（図示略）により車体に固定してある。
【手続補正４】
【補正対象書類名】明細書
【補正対象項目名】００３２
【補正方法】変更
【補正の内容】
【００３２】
各環状の弾性部材４０は、合成ゴムから形成してあり、底板部５ｃに当接しながら、締付ボルト８を該底板部５ｃからステアリングコラム１に向けて弾性的に付勢して、締付ボルト８を少なくとも隙間（Δｔ、図４）分だけ持ち上げるように作用する環状の弾性支持部４１，４１を有している。なお、弾性部材４０は、合成樹脂で形成しても良い。
【手続補正５】
【補正対象書類名】明細書
【補正対象項目名】００３９
【補正方法】変更
【補正の内容】
【００３９】
筒状の弾性部材５０は、その両端部近傍に、底板部５ｃに当接しながら、締付ボルト８を該底板部５ｃからステアリングコラム１に向けて弾性的に付勢して、締付ボルト８を少なくとも隙間（Δｔ、図４）分だけ持ち上げるように作用する複数の弾性支持部５１，５１を有している。
【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
モータを収納するハウジングと、前記モータにより回転駆動される鋸刃と、前記ハウジングに取付けられ、前記鋸刃外周のほぼ上側半分を覆う形状をし、前記鋸刃の一部を収納する鋸刃収納部を有したソーカバーと、前記ハウジングと連結され、被切断材上を摺動可能な底面を持ち、前記鋸刃を前記底面より下方に突出可能な開口部を有するベースと、前記モータにより回転駆動され、回転時に発生するファン風によって前記モータの冷却を行う遠心ファンとを有し、該遠心ファンと前記鋸刃収納部との間の前記ソーカバーの壁面にファン風を前記鋸刃収納部へと排出するファン風排出口を設け、該ファン風排出口の間に位置し該ファン風排出口を区画形成する複数の隔壁を設けた携帯用電気切断機であって、
ほぼすべての前記隔壁の前記ファンの回転方向手前側の壁面を、前記隔壁に当たったファン風が内側に導かれるよう、前記ファンの回転中心軸を中心とした放射方向に対して傾斜させ、その傾斜方向を半径方向外側に向かうに従って前記ファンの反回転方向に向かう方向としたことを特徴とする携帯用電気切断機。
【請求項２】
前記隔壁をほぼ一定間隔で形成したことを特徴とする請求項１記載の携帯用電気切断機。
【請求項３】
前記隔壁の傾斜角度をほぼ同様の角度としたことを特徴とする請求項１あるいは請求項２記載の携帯用電気切断機。
【請求項４】
前記隔壁の前記ファンの回転方向奥側の壁面を、前記ファンの回転方向手前側の壁面とほぼ平行に延びる形状としたことを特徴とする請求項１〜請求項３のいずれか１項記載の携帯用電気切断機。
【手続補正２】
【補正対象書類名】明細書
【補正対象項目名】００１０
【補正方法】変更
【補正の内容】
【００１０】
【課題を解決するための手段】
上記目的を達成するために、本発明の携帯用電気丸鋸は、ほぼすべての隔壁のファンの回転方向手前側の壁面を、隔壁に当たったファン風が内側に導かれるよう、ファンの回転中心軸を中心とした放射方向に対して傾斜させ、その傾斜方向を半径方向外側に向かうに従ってファンの反回転方向に向かう方向とする。
【手続補正３】
【補正対象書類名】明細書
【補正対象項目名】００１１
【補正方法】変更
【補正の内容】
【００１１】
ここで、前記隔壁をほぼ一定間隔で形成することが望ましい。
【手続補正４】
【補正対象書類名】明細書
【補正対象項目名】００１２
【補正方法】変更
【補正の内容】
【００１２】
また、前記隔壁の傾斜角度をほぼ同様の角度とすることが望ましい。
【手続補正５】
【補正対象書類名】明細書
【補正対象項目名】００１３
【補正方法】変更
【補正の内容】
【００１３】
また、前記隔壁の前記ファンの回転方向奥側の壁面を、前記ファンの回転方向手前側の壁面とほぼ平行に延びる形状とすることが望ましい。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００９１
【補正方法】変更
【補正の内容】
【００９１】
【００９１】
上記したように本発明によれば、ほぼすべての隔壁のファンの回転方向手前側の壁面を、隔壁に当たったファン風が内側に導かれるよう、ファンの回転中心軸を中心とした放射方向に対して傾斜させ、その傾斜方向を半径方向外側に向かうに従ってファンの反回転方向に向かう方向としたことにより、ファン風排出口より鋸刃収納部側に排出されるファン排出風を、半径方向外側では風量を小さく且つ排出速度を小さくすることができ、半径方向内側においては、ファン排出風の風量を大きくすることができ、騒音の発生を抑制しつつモータの冷却性能の低下を招くことのない携帯用電気丸鋸を提供することができるようになる。
【手続補正書】
【提出日】平成17年8月3日(2005.8.3)
【手続補正１】
【補正対象書類名】明細書
【補正対象項目名】請求項４
【補正方法】変更
【補正の内容】
【請求項４】
前記連結部用キャビティの底部には湯口が形成されたことを特徴とする請求項１乃至請求項３の何れか一項記載のピストンの鋳造方法。
【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
少なくとも１つの壁中に形成された複製ポートを有するドッキング・ステーション本体と、
前記複製ポートに電気的に結合され、ハウジングと前記ハウジングの第１の面にあるキーボードとを有するモバイル・コンピューティング装置のドッキングポートに取り付けることができる受容ポートと、
前記ドッキング・ステーション本体と前記受容ポートとの間に結合され、前記複製ポートに対する前記受容ポートの運動を可能にする手段と
を備え、前記モバイル・コンピューティング装置の前記ドッキングポートは、前記ハウジングの前記キーボードと同じ前記第１の面に形成されていることを特徴とする、ドッキング・ステーション。
【請求項２】
前記受容ポートにドッキングしたモバイル・コンピューティング装置を支持するように前記受容ポートが位置している受容トレイをさらに備えることを特徴とする、請求項１に記載のドッキング・ステーション。
【請求項３】
前記受容トレイは、前記受容トレイが前記本体に近接して位置し、ほぼ水平に配置された非延伸位置と、前記トレイが前記本体より上に延び、垂直に近い角度で配置される延伸位置との間で相対的運動ができることを特徴とする、請求項２に記載のドッキング・ステーション。
【請求項４】
前記相対的運動を可能にする手段は、前記ドッキング・ステーション本体と前記受容トレイとの間に結合された旋回アーム機構を備えていることを特徴とする、請求項３に記載のドッキング・ステーション。
【請求項５】
少なくとも１つの壁中に形成された複製ポートを有するドッキング・ステーション本体と、
前記複製ポートに電気的に結合され、ハウジングと前記ハウジングの第１の面にあるキーボードとを有するモバイル・コンピューティング装置のドッキングポートに取り付けることができる受容ポートとを備え、
前記モバイル・コンピューティング装置の前記ドッキングポートは、前記ハウジングの前記キーボードと同じ前記第１の面に形成され、
前記受容ポートは、前記受容ポートが前記本体に近接して配置される非延伸位置と、前記ポートが前記本体より上に延びる延伸位置との間で運動できることを特徴とする、ドッキング・ステーション。
【請求項６】
少なくとも１つの壁中に形成された複製ポートを有するドッキング・ステーション本体と、
前記複製ポートに電気的に結合され、ハウジングと前記ハウジングの第１の面にあるキーボードとを有するモバイル・コンピューティング装置のドッキングポートに取り付けることができる受容ポートと、
前記ドッキング・ステーションにドッキングされると前記モバイル・コンピューティング装置のスクリーンを受容できるスクリーン受容機構と、
前記ドッキング・ステーション本体と前記スクリーン受容機構との間に結合され、前記ドッキング・ステーション本体に対する前記スクリーン受容機構の高さの調節を可能にする手段とを備え、
前記モバイル・コンピューティング装置の前記ドッキングポートは、前記ハウジングの、前記キーボードと同じく前記第１の面に形成されていることを特徴とする、ドッキング・ステーション。